(57)【特許請求の範囲】
【請求項１】
不在モードを備えた電話装置であって、
少なくとも一つの不在モード設定キーと、
前記不在モード設定キーに割り当てられている不在モード設定継続時間を含む不在モード設定情報を記憶する不在モード設定情報記憶手段と、
前記不在モード設定キーが押下された場合に、当該不在モード設定キーに割り当てられている前記不在モード設定継続時間を前記不在モード設定情報記憶手段から読み出し、自電話装置の動作モードを、当該不在モード設定継続時間後の時刻を不在モード設定解除予定時刻とする前記不在モードに設定する不在モード設定手段と、
前記不在モードの設定動作中に自動着信応答して、当該不在モードの前記不在モード設定解除予定時刻あるいは当該不在モード設定解除予定時刻までの残り時間を含む不在メッセージを、発信元に送出する不在モード制御手段と、を有し、
前記不在モード制御手段は、
前記不在モードの設定動作中に自動着信応答した場合に、現在時刻が当該不在モードの前記不在モード設定解除予定時刻を過ぎているならば、当該不在モード設定解除予定時刻あるいは当該不在モード設定解除予定時刻までの残り時間を含む不在メッセージに代えて、当該不在モード設定解除予定時刻を過ぎても不在である旨の不在メッセージを、発信元に送出する
ことを特徴とする電話装置。
【請求項２】
不在モードを備えた電話装置であって、
少なくとも一つの不在モード設定キーと、
前記不在モード設定キーに割り当てられている不在モード設定継続時間を含む不在モード設定情報を記憶する不在モード設定情報記憶手段と、
前記不在モード設定キーが押下された場合に、当該不在モード設定キーに割り当てられている前記不在モード設定継続時間を前記不在モード設定情報記憶手段から読み出し、自電話装置の動作モードを、当該不在モード設定継続時間後の時刻を不在モード設定解除予定時刻とする前記不在モードに設定する不在モード設定手段と、
前記不在モードの設定動作中に自動着信応答して、当該不在モードの前記不在モード設定解除予定時刻あるいは当該不在モード設定解除予定時刻までの残り時間を含む不在メッセージを、発信元に送出する不在モード制御手段と、を有し、
前記不在モード制御手段は、
前記不在モードの設定動作中に自動着信応答した場合において、暗証番号が予め登録されているならば、前記発信元から暗証番号を受信し、当該暗証番号が前記予め登録された暗証番号と一致する場合にのみ、前記不在モード設定解除予定時刻あるいは当該不在モード設定解除予定時刻までの残り時間を含む不在メッセージを、前記発信元に送出する
ことを特徴とする電話装置。
【請求項３】
不在モードを備えた電話装置であって、
少なくとも一つの不在モード設定キーと、
前記不在モード設定キーに割り当てられている不在モード設定継続時間を含む不在モード設定情報を記憶する不在モード設定情報記憶手段と、
前記不在モード設定キーが押下された場合に、当該不在モード設定キーに割り当てられている前記不在モード設定継続時間を前記不在モード設定情報記憶手段から読み出し、自電話装置の動作モードを、当該不在モード設定継続時間後の時刻を不在モード設定解除予定時刻とする前記不在モードに設定する不在モード設定手段と、
前記不在モードの設定動作中に自動着信応答して、当該不在モードの前記不在モード設定解除予定時刻あるいは当該不在モード設定解除予定時刻までの残り時間を含む不在メッセージを、発信元に送出する不在モード制御手段と、
不在理由設定キーと、
前記不在理由設定キーが押下された場合に、前記不在モード設定キーおよび自電話装置が備えるダイヤルキーの押下を受け付け、押下されたダイヤルキーに対応付けられている理由を、押下された前記不在モード設定キーに割り当てる不在理由として、前記不在モード設定情報記憶手段に記憶する不在理由登録手段と、を有し、
前記不在モード制御手段は、
前記不在モードの設定動作中に自動着信応答した発信元に送出する不在メッセージに、当該不在モード設定のために押下された前記不在モード設定キーに割り当てられて前記不在モード設定情報記憶手段に記憶されている不在理由を含める
ことを特徴とする電話装置。
【請求項４】
請求項１ないし３のいずれか一項に記載の電話装置であって、
継続時間設定キーと、
前記継続時間設定キーが押下された場合に、前記不在モード設定キーの押下および自電話装置が備えるダイヤルキーの操作を受け付け、当該ダイヤルキーの操作により入力された数値が表す時間を、押下された前記不在モード設定キーに割り当てる前記不在モード設定継続時間として、前記不在モード設定情報記憶手段に記憶する不在モード設定継続時間登録手段と、をさらに有する
ことを特徴とする電話装置。
【請求項５】
請求項１ないし４のいずれか一項に記載の電話装置であって、
自電話装置の近傍にいる人を検知する人検知手段をさらに有し、
前記不在モード制御手段は、
前記人検知手段により自電話装置の近傍にいる人が検知されている場合に、自電話装置が前記不在モードの設定動作中であるならば、当該不在モードの設定を解除する
ことを特徴とする電話装置。
【発明の詳細な説明】
【技術分野】
【０００１】
本発明は、不在モードを備えた電話装置に関する。
【背景技術】
【０００２】
着信に自動応答して、予め登録された不在メッセージを発信元に送出する不在モードを備えた電話装置が知られている。特許文献１には、不在モード設定動作中に着信があった場合に、自動応答して、不在モード設定の解除時刻までの残り時間を含む不在メッセージを発信元に送出する電話装置が開示されている。この電話装置によれば、不在モード設定の解除時刻までの残り時間、つまりユーザが席（家）に戻ってくるまでの待ち時間を発信元に知らせるので、発信元は、再度の電話をいつ頃かければよいか、あるいは折り返しの電話がいつ頃かかってくるかをある程度予測できるため、何度も電話をかけたり、あるいは折り返しの電話を待ち続けたりする必要がなくなる。
【先行技術文献】
【特許文献】
【０００３】
【特許文献１】特開平８−８８６８２号公報
【発明の概要】
【発明が解決しようとする課題】
【０００４】
ところで、特許文献１に記載の電話装置では、不在モード設定の際に時刻情報を入力する必要がある。具体的には、ユーザは、時計合わせのために現在時刻を入力し、続いて不在モード設定の解除時刻を入力しなければならない。このため、不在モードの設定操作が煩雑であり、不在モードを起動させるまでに時間がかかる。
【０００５】
本発明は上記事情に鑑みてなされたものであり、その目的は、簡単な操作で、不在モード設定の解除予定時刻の指定を伴う不在モードの設定が可能な電話装置を提供することにある。
【課題を解決するための手段】
【０００６】
上記課題を解決するために、本発明では、電話装置に不在モード設定キーを少なくとも一つ設け、不在モード設定キーに不在モード設定継続時間を予め割り当てておく。ユーザによって不在モード設定キーが押下されたならば、電話装置は、動作モードを、押下された不在モード設定キーに割り当てられている不在モード設定継続時間後の時刻を不在モード設定解除予定時刻とする不在モードに設定する。不在モード設定動作中に着信があったならば、電話装置は、自動着信応答して不在モード設定解除予定時刻あるいはこの解除予定時刻までの残り時間を含む不在メッセージを発信元に送出する。
【０００７】
例えば、本発明の一態様は、不在モードを備えた電話装置であって、
少なくとも一つの不在モード設定キーと、
前記不在モード設定キーに割り当てられている不在モード設定継続時間を含む不在モード設定情報を記憶する不在モード設定情報記憶手段と、
前記不在モード設定キーが押下された場合に、当該不在モード設定キーに割り当てられている前記不在モード設定継続時間を前記不在モード設定情報記憶手段から読み出し、自電話装置の動作モードを、当該不在モード設定継続時間後の時刻を不在モード設定解除予定時刻とする前記不在モードに設定する不在モード設定手段と、
前記不在モードの設定動作中に自動着信応答して、当該不在モードの前記不在モード設定解除予定時刻あるいは当該不在モード設定解除予定時刻までの残り時間を含む不在メッセージを、発信元に送出する不在モード制御手段と、を有し、
前記不在モード制御手段は、
前記不在モードの設定動作中に自動着信応答した場合に、現在時刻が当該不在モードの前記不在モード設定解除予定時刻を過ぎているならば、当該不在モード設定解除予定時刻あるいは当該不在モード設定解除予定時刻までの残り時間を含む不在メッセージに代えて、当該不在モード設定解除予定時刻を過ぎても不在である旨の不在メッセージを、発信元に送出する。
また、本発明の他の態様は、不在モードを備えた電話装置であって、
少なくとも一つの不在モード設定キーと、
前記不在モード設定キーに割り当てられている不在モード設定継続時間を含む不在モード設定情報を記憶する不在モード設定情報記憶手段と、
前記不在モード設定キーが押下された場合に、当該不在モード設定キーに割り当てられている前記不在モード設定継続時間を前記不在モード設定情報記憶手段から読み出し、自電話装置の動作モードを、当該不在モード設定継続時間後の時刻を不在モード設定解除予定時刻とする前記不在モードに設定する不在モード設定手段と、
前記不在モードの設定動作中に自動着信応答して、当該不在モードの前記不在モード設定解除予定時刻あるいは当該不在モード設定解除予定時刻までの残り時間を含む不在メッセージを、発信元に送出する不在モード制御手段と、を有し、
前記不在モード制御手段は、
前記不在モードの設定動作中に自動着信応答した場合において、暗証番号が予め登録されているならば、前記発信元から暗証番号を受信し、当該暗証番号が前記予め登録された暗証番号と一致する場合にのみ、前記不在モード設定解除予定時刻あるいは当該不在モード設定解除予定時刻までの残り時間を含む不在メッセージを、前記発信元に送出する。
また、本発明のさらに他の態様は、不在モードを備えた電話装置であって、
少なくとも一つの不在モード設定キーと、
前記不在モード設定キーに割り当てられている不在モード設定継続時間を含む不在モード設定情報を記憶する不在モード設定情報記憶手段と、
前記不在モード設定キーが押下された場合に、当該不在モード設定キーに割り当てられている前記不在モード設定継続時間を前記不在モード設定情報記憶手段から読み出し、自電話装置の動作モードを、当該不在モード設定継続時間後の時刻を不在モード設定解除予定時刻とする前記不在モードに設定する不在モード設定手段と、
前記不在モードの設定動作中に自動着信応答して、当該不在モードの前記不在モード設定解除予定時刻あるいは当該不在モード設定解除予定時刻までの残り時間を含む不在メッセージを、発信元に送出する不在モード制御手段と、
不在理由設定キーと、
前記不在理由設定キーが押下された場合に、前記不在モード設定キーおよび自電話装置が備えるダイヤルキーの押下を受け付け、押下されたダイヤルキーに対応付けられている理由を、押下された前記不在モード設定キーに割り当てる不在理由として、前記不在モード設定情報記憶手段に記憶する不在理由登録手段と、を有し、
前記不在モード制御手段は、
前記不在モードの設定動作中に自動着信応答した発信元に送出する不在メッセージに、当該不在モード設定のために押下された前記不在モード設定キーに割り当てられて前記不在モード設定情報記憶手段に記憶されている不在理由を含める。
【発明の効果】
【０００８】
本発明において、ユーザは、所望の不在モード設定キーを押下するだけで、電話装置を、この不在モード設定キーに割り当てられている不在モード設定継続時間後の時刻を不在モード設定解除予定時刻とする不在モードに設定することができる。したがって、簡単な操作で、不在モード設定の解除予定時刻の指定を伴う不在モードを設定することができる。
【図面の簡単な説明】
【０００９】
【図１】図１は、本発明の一実施の形態に係る電話装置１の概略機能構成図である。
【図２】図２は、不在モード設定情報記憶部１０６の登録内容例を模式的に表した図である。
【図３】図３は、不在理由記憶部１０７の登録内容例を模式的に表した図である。
【図４】図４（Ａ）は、電話装置１の、不在モード設定情報記憶部１０６に記憶されている不在モード設定継続時間の更新処理を説明するためのフロー図であり、図４（Ｂ）は、電話装置１の、不在モード設定情報記憶部１０６に記憶されている不在理由の更新処理を説明するためのフロー図である。
【図５】図５（Ａ）は、電話装置１の不在モード設定処理を説明するためのフロー図であり、図５（Ｂ）は、電話装置１の不在モードの設定解除処理を説明するためのフロー図である。
【図６】図６は、電話装置１の着信処理を説明するためのフロー図である。
【発明を実施するための形態】
【００１０】
以下に、本発明の一実施の形態について説明する。
【００１１】
図１は、本実施の形態に係る電話装置１の概略機能構成図である。
【００１２】
本実施の形態に係る電話装置１は、自動着信応答して、相手装置に不在メッセージを送出する不在モードに対応しており、図示するように、電話網インターフェース部１００と、呼制御部１０１と、通話制御部１０２と、ハンドセット、ハンズフリー用のスピーカおよびマイク等の送受話部１０３と、ＬＣＤ等の表示部１０４と、キー入力部１０５と、不在モード設定情報記憶部１０６と、不在理由記憶部１０７と、定型メッセージ記憶部１０８と、暗証番号記憶部１０９と、人検知センサ１１０と、時刻を計測する時計部１１１と、不在モード設定情報登録部１１２と、不在モード設定部１１３と、不在モード制御部１１４と、を備えている。
【００１３】
電話網インターフェース部１００は、電話網に接続するためのインターフェースである。
【００１４】
呼制御部１０１は、電話網を介して相手装置と呼制御手順を実行することにより、電話網上に相手装置との通話路を確立する。
【００１５】
通話制御部１０２は、呼制御部１０１によって確立された通話路を介して相手装置と送受信する通話信号を処理する。具体的には、通話路を介して相手装置から通話信号を受信し、この通話信号を音声信号に変換して送受話部１０３から出力するとともに、送受話部１０３に入力された音声信号を通話信号に変換し、この通話信号を、通話路を介して相手装置に送信する。
【００１６】
キー入力部１０５は、ユーザから各種操作を受け付けるためのキー群であり、相手装置の電話番号等を受け付けるためのダイヤルキー群１０５１（以下、ダイヤルキー群１０５１を構成する個々のダイヤルキーもダイヤルキー１０５１と呼ぶ）、不在モードの設定操作を受け付けるための１つ以上の不在モード設定キー１０５２、不在モード設定キー１０５２に割り当てる不在モード設定継続時間の設定操作を受け付けるための継続時間設定キー１０５３、不在モード設定キー１０５２に割り当てる不在理由の設定操作を受け付けるための不在理由設定キー１０５４、および不在モードの設定解除操作を受け付けるための設定解除キー１０５５を含む。本実施の形態に係る電話装置１では、不在モード設定キー１０５２を複数設け、不在モード設定キー１０５２毎に、異なる不在理由および不在モード設定継続時間の不在モードを設定できるようにしている。
【００１７】
不在モード設定情報記憶部１０６には、不在モード設定キー１０５２毎に、不在モード設定キー１０５２に割り当てられている不在理由および不在モード設定継続時間を含む不在モード設定情報が登録される。図２は、不在モード設定情報記憶部１０６の登録内容例を模式的に表した図である。
【００１８】
図示するように、不在モード設定情報記憶部１０６には、不在モード設定キー１０５２毎に不在モード設定情報レコード１０６０が登録されている。不在モード設定情報レコード１０６０は、不在モード設定キー１０５２の識別情報であるキーＩＤを登録するフィールド１０６１と、この不在モード設定キー１０５２に割り当てられた不在理由を登録するフィールド１０６２と、この不在モード設定キー１０５２に割り当てられた不在モード設定継続時間を登録するフィールド１０６３と、この不在モード設定キー１０５２による不在モードの状態（「設定動作中」か「解除」か）を登録するフィールド１０６４と、この不在モード設定キー１０５２による不在モードの状態が「設定動作中」である場合に、この不在モードの不在モード設定解除予定時刻を登録するフィールド１０６５と、を有する。
【００１９】
ここで、不在モード設定解除予定時刻は、不在モードの設定開始時刻から不在モード設定継続時間後の時刻である。なお、複数の不在モード設定情報レコード１０６０において、フィールド１０６４に登録される不在モードの状態が同時に「設定動作中」となることはない。
【００２０】
不在理由記憶部１０７には、各不在モード設定キー１０５２に割り当てられる不在理由の候補が登録される。図３は、不在理由記憶部１０７の登録内容例を模式的に表した図である。
【００２１】
図示するように、不在理由記憶部１０７には、不在理由候補毎に不在理由候補レコード１０７０が登録されている。レコード１０７０は、不在理由を登録するフィールド１０７１と、この不在理由が割り当てられたダイヤルキー１０５１の識別情報（例えばダイヤルキー１０５１が示す番号）を登録するフィールド１０７２と、を有する。
【００２２】
定型メッセージ記憶部１０８には、不在メッセージの定型文が利用条件に対応付けられて登録されている。例えば、定型文「ただいま＜不在理由＞のため不在にしております。＜不在モード設定解除予定時刻＞頃には戻る予定でおります。」が、利用条件「不在モード設定解除予定時刻前」に対応付けて登録され、定型文「ただいま＜不在理由＞のため不在にしております。＜不在モード設定解除予定時刻＞頃に戻る予定でしたが、遅れております。」が、利用条件「不在モード設定解除予定時刻以後」に対応付けて登録され、そして、標準定型文「ただいま不在にしております。」が、利用条件「暗証番号不一致」に対応付けて登録されている。
【００２３】
なお、これらの定型文を利用する場合、＜不在理由＞タグには、設定動作中の不在モードの不在理由が挿入され、＜不在モード設定解除予定時刻＞タグには、設定動作中の不在モードの不在モード設定解除予定時刻が挿入される。
【００２４】
暗証番号記憶部１０９は、不在理由および不在モード設定解除予定時刻を知らせる条件として、相手（不在メッセージの送信先）に対して暗証番号を要求する場合に、その暗証番号を記憶する。
【００２５】
人検知センサ１１０は、電話装置１の近傍にいる人を検知する。この人検知センサ１１０には、例えば、電話装置１の前方の所定範囲内に位置する物体を検知する赤外線センサ、電話装置１の前方の所定範囲内に位置する物体の温度（人の体温に近い温度）を検知する温度センサ、音声を検知する音センサ等の既存の技術を利用できる。
【００２６】
不在モード設定情報登録部１１２は、所定の時間内に不在モード設定キー１０５２および継続時間設定キー１０５３が連続して押下されたことを検知した場合（例えば、継続時間設定キー１０５３が押下され、所定時間内に、これに続けて不在モード設定キー１０５２が押下された場合）に、この不在モード設定キー１０５２に対応付けられて不在モード設定情報記憶部１０６に記憶されている不在モード設定情報レコード１０６０のフィールド１０６３に登録されている不在モード設定継続時間を更新する。また、不在モード設定情報登録部１１２は、所定の時間内に不在モード設定キー１０５２および不在理由設定キー１０５４が連続して押下されたことを検知した場合（例えば、不在理由設定キー１０５４が押下され、所定時間内に、これに続けて不在モード設定キー１０５２が押下された場合）に、この不在モード設定キー１０５２に対応付けられて不在モード設定情報記憶部１０６に記憶されている不在モード設定情報レコード１０６０のフィールド１０６２に登録されている不在理由を更新する。
【００２７】
具体的には、継続時間設定キー１０５３または不在理由設定キー１０５４が押下され、続けて所定時間内に不在モード設定キー１０５２が押下されると、不在モード設定情報登録部１１２は、ダイヤルキー群１０５１からダイヤルキー操作を受け付ける設定情報登録モードに移行し、押下された不在モード設定キー１０５２のキーＩＤがフィールド１０６１に登録されている不在モード設定情報レコード１０６０を不在モード設定情報記憶部１０６から検索するとともに、押下された不在モード設定キー１０５２の設定情報登録モードに移行した旨を表示部１０４に表示する。その後、ダイヤルキー操作を受け付けたならば、継続時間設定キー１０５３押下の場合は、この不在モード設定情報レコード１０６０のフィールド１０６３に登録されている不在モード設定継続時間を、ダイヤルキー操作により入力された数値情報が表す不在モード設定継続時間に更新する。一方、不在理由設定キー１０５４押下の場合は、ダイヤルキー操作されたダイヤルキーの番号がフィールド１０７２に登録されている不在理由候補レコード１０７０を不在理由記憶部１０７から検索し、先に検索した不在モード設定情報レコード１０６０のフィールド１０６２に登録されている不在理由を、この不在理由候補レコード１０７０のフィールド１０７１に登録されている不在理由に更新する。
【００２８】
不在モード設定部１１３は、所定時間内にいずれかの不在モード設定キー１０５２のみが押下された場合に、電話装置１の動作モードを、押下された不在モード設定キー１０５２に応じた不在モードに設定する。具体的には、押下された不在モード設定キー１０５２に割り当てられている不在理由、および押下された不在モード設定キー１０５２に割り当てられている不在モード設定継続時間後の不在モード設定解除予定時刻の指定を伴う不在モードを設定する。
【００２９】
不在モード制御部１１４は、不在モード設定部１１３により設定された不在モードに従い、呼制御部１０１および通話制御部１０２を制御する。例えば、不在モードの設定動作中に着信があったならば、呼制御部１０１に自動着信応答させるとともに、不在理由および不在モード設定解除予定時刻を含む不在メッセージを作成する。そして、通話制御部１０２に、この不在メッセージの音声データを、自動着信応答により確立された通話路を介して発信元へ送出させる。
【００３０】
つぎに、本実施の形態に係る電話装置１の動作を説明する。
【００３１】
図４（Ａ）は、不在モード設定情報記憶部１０６に記憶されている不在モード設定継続時間の更新処理を説明するためのフロー図である。このフローは、ユーザにより継続時間設定キー１０５３が押下されることにより開始される。
【００３２】
まず、不在モード設定情報登録部１１２は、継続時間設定キー１０５３の押下に続いて、所定時間内にいずれかの不在モード設定キー１０５２が押下されるのを待つ（Ｓ１０１）。この際、不在モード設定情報登録部１１２は、不在モード設定継続時間を更新したいと考える不在モード設定キー１０５２の押下をユーザに促すメッセージを表示部１０４に表示してもよい。
【００３３】
つぎに、不在モード設定情報登録部１１２は、継続時間設定キー１０５３の押下から所定時間内にいずれかの不在モード設定キー１０５２の押下を検知すると（Ｓ１０１でＹＥＳ）、不在モード設定情報記憶部１０６を参照して、押下された不在モード設定キー１０５２のキーＩＤがフィールド１０６１に登録されている不在モード設定情報レコード１０６０を特定する（Ｓ１０２）。
【００３４】
つぎに、不在モード設定情報登録部１１２は、ユーザによってダイヤルキー群１０５１が操作され、不在モード設定継続時間を示す数値情報が入力されるのを待つ（Ｓ１０３）。それから、不在モード設定情報登録部１１２は、ダイヤルキー群１０５１を介して数値情報を受け付けると（Ｓ１０３でＹＥＳ）、特定した不在モード設定情報レコード１０６０のフィールド１０６３に登録されている不在モード設定継続時間を、その数値情報が示す不在モード設定継続時間で更新する（Ｓ１０４）。
【００３５】
なお、Ｓ１０１において、所定時間内にいずれの不在モード設定キー１０５２も押下されなかった場合には（Ｓ１０１でＮＯ）、本フローを終了する。
【００３６】
図４（Ｂ）は、不在モード設定情報記憶部１０６に記憶されている不在理由の更新処理を説明するためのフロー図である。このフローは、ユーザにより不在理由設定キー１０５４が押下されることにより開始される。
【００３７】
まず、不在モード設定情報登録部１１２は、不在理由設定キー１０５４の押下に続いて、所定時間内にいずれかの不在モード設定キー１０５２が押下されるのを待つ（Ｓ１１１）。この際、不在モード設定情報登録部１１２は、不在理由を更新したいと考える不在モード設定キー１０５２の押下をユーザに促すメッセージを表示部１０４に表示してもよい。
【００３８】
つぎに、不在モード設定情報登録部１１２は、継続時間設定キー１０５３の押下から所定時間内にいずれかの不在モード設定キー１０５２の押下を検知すると（Ｓ１１１でＹＥＳ）、不在モード設定情報記憶部１０６を参照して、押下された不在モード設定キー１０５のキーＩＤがフィールド１０６１に登録されている不在モード設定情報レコード１０６０を特定する（Ｓ１１２）。
【００３９】
つぎに、不在モード設定情報登録部１１２は、ユーザによっていずれかのダイヤルキー１０５１が押下されるのを待つ（Ｓ１１３）、この際、不在モード設定情報登録部１１２は、不在理由記憶部１０７に登録されている不在理由候補のレコード１０７０を読み出して、不在理由とこの不在理由が割り当てられたダイヤルキー１０５１との対応関係を、表示部１０４に表示してもよい。
【００４０】
つぎに、不在モード設定情報登録部１１２は、いずれかのダイヤルキー１０５１が押下されると（Ｓ１１３でＹＥＳ）、不在理由記憶部１０７を参照して、押下されたダイヤルキー１０５１の識別情報がフィールド１０７２に登録されている不在理由候補レコード１０７０を特定する（Ｓ１１４）。それから、不在モード設定情報登録部１１２は、Ｓ１１２において特定した不在モード設定情報レコード１０６０のフィールド１０６２に登録されている不在理由を、Ｓ１１４において特定した不在理由候補レコード１０７０のフィールド１０７１に登録されている不在理由で更新する（Ｓ１１５）。
【００４１】
なお、Ｓ１１１において、所定時間内にいずれも不在モード設定キー１０５２も押下されなかった場合には（Ｓ１１１でＮＯ）、本フローを終了する。
【００４２】
図５（Ａ）は、不在モードの設定処理を説明するためのフロー図である。このフローは、ユーザにより、所定時間内にいずれかの不在モード設定キー１０５２のみが押下されること（例えば、直前に継続時間設定キー１０５３あるいは不在理由設定キー１０５４が押下されることなく、直接いずれかの不在モード設定キー１０５２が押下されること）により開始される。
【００４３】
まず、不在モード設定部１１３は、不在モード設定情報記憶部１０６を参照して、押下された不在モード設定キー１０５２のキーＩＤがフィールド１０６１に登録されている不在モード設定情報レコード１０６０を特定する（Ｓ１２１）。
【００４４】
つぎに、不在モード設定部１１３は、不在モード設定情報記憶部１０６に記憶されている全ての不在モード設定情報レコード１０６０について、フィールド１０６４に登録されている不在モード状態を「解除」に更新するとともに、フィールド１０６５に登録されている不在モード設定解除予定時刻をクリアする（Ｓ１２２）。
【００４５】
それから、不在モード設定部１１３は、Ｓ１２１で特定した不在モード設定情報レコード１０６０のフィールド１０６４に登録されている不在モード状態を「解除」から「設定動作中」に更新する（Ｓ１２３）。
【００４６】
つぎに、不在モード設定部１１３は、時計部１１１から現在時刻を取得し、現在時刻から、Ｓ１２１で特定した不在モード設定情報レコード１０６０のフィールド１０６３に登録されている不在モード設定継続時間後の時刻を算出する（Ｓ１２４）。そして、このとき算出した時刻を、不在モード設定解除予定時刻として、この不在モード設定情報レコード１０６０のフィールド１０６５に登録する（Ｓ１２５）。以上により、電話装置１が不在モードに設定される。
【００４７】
図５（Ｂ）は、不在モードの設定解除処理を説明するためのフロー図である。このフローは、図５（Ａ）に示す不在モードの設定処理によって電話装置１の動作モードが不在モードに設定されることにより開始される。
【００４８】
不在モード設定部１１３は、ユーザによる設定解除キー１０５５の押下のイベント、または人検知センサ１１０による継続的な人検知のイベントの発生を待つ（Ｓ１３１、Ｓ１３２）。
【００４９】
不在モード設定部１１３は、ユーザにより設定解除キー１０５５が押下されると（Ｓ１３１でＹＥＳ）、不在モード設定情報記憶部１０６に記憶されている全ての不在モード設定情報レコード１０６０について、フィールド１０６４に登録されている不在モード状態を「解除」に更新するとともに、フィールド１０６５に登録されている不在モード設定解除予定時刻をクリアする（Ｓ１３４）。これにより、設定動作中の不在モードが解除される。
【００５０】
また、不在モード設定部１１３は、人検知センサ１１０によって電話装置１の近傍で人が検知されている状態が所定時間（例えば３分）以上継続した場合（Ｓ１３２でＹＥＳ）、不在モード設定開始から所定時間（猶予時間）が経過しているか否かを調べる（Ｓ１３３）。ここで、不在モード設定開始時刻は、設定動作中の不在モードに対応する不在モード設定情報レコード１０６０（フィールド１０６４に不在モード状態として「設定動作中」が登録されている不在モード設定情報レコード１０６０）のフィールド１０６５に登録された不在モード設定解除予定時刻よりも、フィールド１０６３に登録された不在モード設定継続時間前の時刻として算出される。また、猶予時間は、例えば、不在モード設定継続時間の１／５の時間等、不在モード設定継続時間に基づき定まる時間に決定される。
【００５１】
不在モード設定開始時刻から猶予時間を経過した場合（Ｓ１３３でＹＥＳ）、不在モード設定部１１３は、不在モード設定情報記憶部１０６に記憶されている全ての不在モード設定情報レコード１０６０について、フィールド１０６４に登録されている不在モード状態を「解除」に更新するとともに、フィールド１０６５に登録されている不在モード設定解除予定時刻をクリアする（Ｓ１３４）。これにより、設定動作中の不在モードが解除される。
【００５２】
図６は、電話装置１の着信処理を説明するためのフロー図である。このフローは、電話網から電話装置１に着信することにより開始される。
【００５３】
まず、呼制御部１０１は、電話網から着信があったことを不在モード制御部１１４に通知する。これを受けて、不在モード制御部１１４は、不在モード設定情報記憶部１０６を参照し、フィールド１０６４の不在モード状態が「設定動作中」となっている不在モード設定情報レコード１０６０の有無を調べる（Ｓ１４１）。
【００５４】
該当する不在モード設定情報レコード１０６０が存在しないならば（Ｓ１４１でＮＯ）、不在モード制御部１１４は、呼制御部１０１に対して通常の着信処理を指示する。これを受けて、呼制御部１０１は、電話装置１を着信鳴動させ、既存の一般的な着信処理を実施する（Ｓ１４２）。
【００５５】
一方、フィールド１０６４の不在モード状態が「設定動作中」となっている不在モード設定情報レコード１０６０が存在するならば（Ｓ１４１でＹＥＳ）、不在モード制御部１１４は、呼制御部１０１に自動着信応答を指示する。これを受けて、呼制御部１０１は、自動着信応答して、電話網を介して発信元の相手装置との間に通話路を確立する（Ｓ１４３）。
【００５６】
不在モード制御部１１４は、Ｓ１４３において発信元の相手装置との間に通話路が確立されたならば、暗証番号記憶部１０９に暗証番号が登録されているか否かを調べる（Ｓ１４４）。暗証番号記憶部１０９に暗証番号が登録されていないならば（Ｓ１４４でＮＯ）、Ｓ１４８に進む。一方、暗証番号記憶部１０９に暗証番号が登録されているならば（Ｓ１４４でＹＥＳ）、不在モード制御部１１４は、通話制御部１０２に暗証番号の受付を指示する。これを受けて、通話制御部１０２は、発信元の相手装置との間に確立されている通話路に、暗証番号の入力を促す所定の音声メッセージを送出して、所定時間（例えば３０秒）、この通話路を介して発信元の相手装置から、暗証番号を表すＤＴＭＦ信号列が送られてくるのを待つ。そして、電話網インターフェース部１００を介してＤＴＭＦ信号列を受信したならば、このＤＴＭＦ信号列が表す暗証番号を不在モード制御部１１４に通知する。ＤＴＭＦ信号列を受信しなかったならば、暗証番号が未入力である旨を不在モード制御部１１４に通知する（Ｓ１４５）。
【００５７】
つぎに、不在モード制御部１１４は、通話制御部１０２から通知された暗証番号が暗証番号記憶部１０９に登録されている暗証番号と一致するか否かを調べる（Ｓ１４６）。両者が不一致、または通話制御部１０２から暗証番号が未入力である旨を通知されている場合（Ｓ１４６でＹＥＳ）、不在モード制御部１１４は、利用条件「暗証番号不一致」に対応付けられて定型メッセージ記憶部１０８に記憶されている標準定型文（例えば「ただいま不在にしております。」）を読み出して、これを不在メッセージとして採用する（Ｓ１４７）。そして、この不在メッセージを通話制御部１０２に渡して、Ｓ１５１に進む。
【００５８】
一方、通話制御部１０２から通知された暗証番号が、暗証番号記憶部１０９に登録されている暗証番号と一致する場合（Ｓ１４６でＮＯ）、Ｓ１４８に進む。
【００５９】
暗証番号記憶部１０９に暗証番号が登録されていなかった場合、または、通話制御部１０２から通知された暗証番号と暗証番号記憶部１０９に登録された暗証番号とが一致した場合、Ｓ１４８において、不在モード制御部１１４は、時計部１１１から現在時刻を取得するとともに、Ｓ１４１において特定した、フィールド１０６４の不在モード状態が「設定動作中」となっている不在モード設定情報レコード１０６０のフィールド１０６２、１０６５から不在理由、不在モード設定解除予定時刻を取得する。そして、現在時刻が不在モード設定解除予定時刻前であるか否かを判断する（Ｓ１４８）。
【００６０】
現在時刻が不在モード設定解除予定時刻前である場合（Ｓ１４８でＹＥＳ）、不在モード制御部１１４は、利用条件「不在モード設定解除予定時刻前」に対応付けられて定型メッセージ記憶部１０８に記憶されている定型文（例えば「ただいま＜不在理由＞のため不在にしております。＜不在モード設定解除予定時刻＞頃には戻る予定でおります。」）を読み出して、この定型文の＜不在理由＞タグ、＜不在モード設定解除予定時刻＞タグに、Ｓ１４１において特定した不在モード設定情報レコード１０６０から取得した不在理由、不在モード設定解除予定時刻を挿入することにより、不在メッセージを作成する（Ｓ１４９）。そして、この不在メッセージを通話制御部１０２に渡して、Ｓ１５１に進む。
【００６１】
一方、現在時刻が不在モード設定解除予定時刻以後である場合（Ｓ１４８でＮＯ）、不在モード制御部１１４は、利用条件「不在モード設定解除予定時刻以降」に対応付けられて定型メッセージ記憶部１０８に記憶されている定型文（例えば「ただいま＜不在理由＞のため不在にしております。＜不在モード設定解除予定時刻＞頃に戻る予定でしたが、遅れています。」）を読み出して、この定型文の＜不在理由＞タグ、＜不在モード設定解除予定時刻＞タグに、Ｓ１４１において特定した不在モード設定情報レコード１０６０から取得した不在理由、不在モード設定解除予定時刻を挿入することにより、不在メッセージを作成する（Ｓ１５０）。そして、この不在メッセージを通話制御部１０２に渡して、Ｓ１５１に進む。
【００６２】
Ｓ１５１において、通話制御部１０２は、不在モード制御部１１４から受け取った不在メッセージに対して既存の音声読上処理を行い、この不在メッセージの音声データを、発信元の相手装置との間に確立されている通話路に送出する（Ｓ１５１）。
【００６３】
つぎに、不在モード制御部１１４は、呼制御部１０１に対して終話を指示する。これを受けて、呼制御部１０１は、終話処理を行って、発信元の相手装置との間に確立されている通話路を切断する（Ｓ１５２）。
【００６４】
以上、本実施の形態について説明した。
【００６５】
本実施の形態に係る電話装置１は、不在モード設定継続時間が割り当てられた不在モード設定キー１０５２を少なくとも一つ備えている。そして、ユーザによっていずれかの不在モード設定キー１０５２が押下されたならば、電話装置１の動作モードを、押下された不在モード設定キー１０５２に割り当てられている不在モード設定継続時間後の時刻を不在モード設定解除予定時刻とする不在モードに設定する。また、不在モードの設定動作中に着信があったならば、自動着信応答して、不在モード設定解除予定時刻を含む不在メッセージを発信元に送出する。このため、ユーザは、所望の不在モード設定キー１０５２を押下するだけで、電話装置１を、この不在モード設定キー１０５２に割り当てられている不在モード設定継続時間後の時刻を不在モード設定解除予定時刻とする不在モードに設定することができる。したがって、簡単な操作で、不在モード設定の解除予定時刻の指定を伴う不在モードを設定することができる。
【００６６】
また、本実施の形態に係る電話装置１は、継続時間設定キー１０５３を備えている。ユーザによって継続時間設定キー１０５３が押下された場合、いずれかの不在モード設定キー１０５２の押下およびダイヤルキー群１０５１の操作を受け付け、ダイヤルキー群１０５１の操作により入力された数値情報が表す時間を、押下された不在モード設定キー１０５２に割り当てる不在モード設定継続時間として、不在モード設定情報記憶部１０６に記憶させる。したがって、ユーザは、継続時間設定キー１０５３の押下に続けて、所望の不在モード設定キー１０５２を押下し、ダイヤルキー群１０５１を使って不在モード設定継続時間を入力するだけで、所望の不在モード設定キー１０５２に割り当てる不在モード設定継続時間を簡単に更新することができる。
【００６７】
また、本実施の形態に係る電話装置１は、不在モードの設定動作中に自動着信応答した場合に、現在時刻が不在モード設定解除予定時刻を過ぎているか否かに応じて、不在メッセージの内容を異ならせている。すなわち、現在時刻が不在モード設定解除予定時刻前の場合は、不在モード設定解除予定時刻までに戻ってくる予定である旨の不在メッセージを発信元の相手装置に送出する。一方、現在時刻が不在モード設定解除予定時刻以降の場合は、不在モード設定解除予定時刻を過ぎているが戻ってきていない旨の不在メッセージの音声データを発信元の相手装置に送出する。このように、ユーザが戻ってくる時刻の予測がつく段階とそうでない段階とで、不在メッセージの内容を変えることにより、より的確に状況を発信元の相手装置に伝えることができる。
【００６８】
また、本実施の形態に係る電話装置１は、電話装置１の近傍の人を検知する人検知センサ１１０を備えている。不在モードの設定動作中に、人検知センサ１１０が自電話装置１の近傍で人を検知したならば、不在モードの設定を解除する。このため、会議、外出等から戻ってきたユーザが不在モードの設定を解除し忘れてしまい、不在モードの状態が続いてしまう事態が発生するのを防止できる。
【００６９】
また、本実施の形態に係る電話装置１は、不在モードの設定動作中に自動着信応答した場合に暗証番号記憶部１０９に暗証番号が記憶されているならば、発信元の相手装置から暗証番号を受信し、この暗証番号が暗証番号記憶部１０９に記憶されている暗証番号と一致するときのみ、不在モード設定解除予定時刻および不在理由を含む不在メッセージを発信元の相手装置に送出する。したがって、本実施の形態によれば、不在理由および不在モード設定解除予定時刻がプライベートな情報である場合に、これらの情報を、暗証番号を知っている発信元に対してのみ通知することができる。
【００７０】
また、本実施の形態に係る電話装置１は、不在モードの設定動作中に自動着信応答した発信元に送出する不在メッセージに、この不在モードの設定のために押下された不在モード設定キー１０５２に割り当てられて不在モード設定情報記憶部１０６に記憶されている不在理由を含める。また、電話装置１は、不在理由設定キー１０５４を備えており、ユーザによって不在理由設定キー１０５４が押下された場合に、いずれかの不在モード設定キー１０５２の押下およびダイヤルキー１０５１の押下を受け付け、押下されたダイヤルキー１０５１に割り当てられた不在理由の候補を、押下された不在モード設定キー１０５２に割り当てる不在理由として、不在モード設定情報記憶部１０６に記憶する。したがって、ユーザは、不在理由設定キー１０５４の押下に続けて、所望の不在モード設定キー１０５２を押下し、ダイヤルキー群１０５１を使って不在理由を選択するだけで、所望の不在モード設定キー１０５２に割り当てる不在理由を簡単に更新することができる。
【００７１】
なお、本発明は上記の実施の形態に限定されるものではなく、その要旨の範囲内で数々の変形が可能である。
【００７２】
例えば、上記の実施の形態において、人検知センサ１１０として、電話装置１の近傍にいる人が携帯する無線タグからユーザＩＤを読み取る無線タグリーダを用いてもよい。そして、不在モード制御部１１４は、不在モードの設定動作中に無線タグリーダがユーザＩＤを読み取ったならば、このユーザＩＤが、電話装置１に予め登録されているユーザのユーザＩＤと一致する場合にのみ、不在モードの設定を解除するようにしてもよい。このようにすることにより、電話装置１のユーザが電話装置１に近づいた場合、つまり会議、外出等から戻ってきた場合にのみ、不在モードの設定を解除することができる。
【００７３】
また、上記の実施の形態において、不在モード制御部１１４は、不在モードの設定動作中に自動着信応答した場合に、不在モード設定解除予定時刻を含む不在メッセージに代えて、不在モード設定解除予定時刻までの残り時間を含む不在メッセージを作成し、通話制御部１０２に、この不在メッセージの音声データを発信元へ送出させるようにしてもよい。例えば、定型文「ただいま＜不在理由＞のため不在にしております。あと＜不在モード設定解除予定時刻までの残り時間＞位で戻る予定でおります。」において、＜不在理由＞タグ、＜不在モード設定解除予定時刻までの残り時間＞タグに、不在理由、現在時刻から不在モード設定解除予定時刻までの残り時間を挿入することにより、不在メッセージを作成し、通話制御部１０２に、この不在メッセージの音声データを発信元の相手装置へ送出させる。
【００７４】
本実施の形態においては、ユーザが、不在モード設定キー１０５２に不在理由および不在モード設定継続時間をあらかじめ設定しているが、常に、このようにする必要はない。例えば、不在モード設定継続時間が変動しやすい不在理由については、いずれかの不在モード設定キー１０５２にその不在理由のみをあらかじめ設定しておき、対応する不在モード設定情報レコード１０６０のフィールド１０６３に不在モード設定継続時間が未登録のままとしてもよい。そして、ユーザが、不在モード設定のために押下した不在モード設定キー１０５２に対応する不在モード設定情報レコード１０６０のフィールド１０６３に不在モード設定継続時間が未登録の場合、不在モード設定部１１３は、上述の不在モードの設定処理のＳ１２４において、不在モード設定継続時間の入力をユーザに求め、入力された不在モード設定継続時間から不在モード設定解除予定時刻を算出すればよい。
【００７５】
また、上記の実施の形態において、図１に示す電話装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、およびＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいは、ＤＳＰ（Ｄｉｇｉｔａｌ  Ｓｉｇｎａｌ  Ｐｒｏｃｅｓｓｏｒ）などの計算機によりソフトウエア的に実現されるものでもよい。もしくは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【００７６】
１：電話装置、１００：電話網インターフェース部、１０１：呼制御部、１０２：通話制御部、１０３：送受話部、１０４：表示部、１０５：キー入力部、１０６：不在モード設定情報記憶部、１０７：不在理由記憶部、１０８：定型メッセージ記憶部、１０９：暗証番号記憶部、１１０：人検知センサ、１１１：時計部、１１２、不在モード設定情報登録部、１１３：不在モード設定部、１１４：不在モード制御部、１０５１：ダイヤルキー群、１０５２：不在モード設定キー、１０５３：継続時間設定キー、１０５４：不在理由設定キー、１０５５：設定解除キー
【図１】
0005862316.tif 000002
【図２】
0005862316.tif 000003
【図３】
0005862316.tif 000004
【図４】
0005862316.tif 000005
【図５】
0005862316.tif 000006
【図６】
0005862316.tif 000007